(57)【特許請求の範囲】
【請求項１】
外壁に支持されて当該外壁から略水平に突出して設けられる床体と、この床体の先端部から上方に立ち上がって設けられる前面体と、を少なくとも備える屋外構造体であって、
前記床体は、前記外壁に基端部が支持されて当該外壁から離れる方向に延びる一対の側桁材と、これら一対の側桁材の先端同士を連結する前桁材と、前記外壁、一対の側桁材および前桁材で囲まれた内部に設けられる床材とを有して構成され、
前記床体における側桁材の基端部には、前記外壁に沿って立ち上がる壁側縦材が連結され、
前記壁側縦材と前記前面体の側端縁との間で前記側桁材の上側には、側面体が設けられ、
前記前面体および前記側面体は、全体パネル状に組み立てられており、
前記前面体の下端縁と前記前桁材の上面とのうち、一方には、他方に向かって開口する受け溝部と、この受け溝部に沿った固定片部とが形成され、他方には、前記受け溝部に挿入可能な突出片部と、前記固定片部に対して固着具で固定される被固定部とが形成され、
前記突出片部を前記受け溝部に挿入するとともに、前記被固定部を前記固定片部に固定することで、前記前面体が前記床体に固定され、
前記壁側縦材および前記前面体の側端縁と前記側面体における左右の側端縁とのうち、一方には、上下に延びかつ外壁面に平行に延びる係合突片が形成され、他方には、前記係合突片と係合可能な係合溝部が形成され、
前記床体の側桁材の基端部は、前記外壁に固定される外壁ブラケットを介して当該外壁に固定され、この外壁ブラケットは、外壁面に沿って固定される固定面部と、この固定面部から突出して前記側桁材に沿って延びる延出片部とを有して構成され、
前記側桁材と前記壁側縦材とは、連結部材を介して互いに連結されるとともに、当該壁側縦材、前記連結部材および前記外壁ブラケットを貫通する固着具によって前記外壁に固定されている屋外構造体。
【請求項２】
前記側面体の下端縁と前記側桁材の上面とのうち、一方には、他方に向かって開口する受け溝部が形成され、他方には、前記受け溝部に挿入可能な突出片部が形成され、
前記突出片部を前記受け溝部に挿入することで、前記側面体が前記床体に係合される請求項１に記載の屋外構造体。
【発明の詳細な説明】
【技術分野】
【０００１】
本発明は、建物の外壁面から突出して設けられる屋外構造体に関する。
【背景技術】
【０００２】
従来、外壁面から突出して設けられる屋外構造体として、例えば、プランター置場や空調用室外機置場などが知られている（例えば、特許文献１参照）。
特許文献１に記載された空調用室外機置場は、外壁に固定される片持ち状の支持部材と、この支持部材に載置される床部材と、支持部材の上側に固定される壁部材とを備えて構成されている。支持部材は、四周枠組みされたフレームを有して構成され、このフレームが建物躯体から延びる腕木に固定されており、前方のフレームや腕木には、上方に立ち上がる控え柱が固定されている。また、壁部材は、平面略コ字形に折り曲げ形成された壁面材や、壁面材に固定された複数の支柱、壁面材の上端縁に固定された笠木などを有して構成され、支柱を控え柱に挿通させてビス止めすることによって、壁部材が支持部材に固定されている。
【０００３】
【特許文献１】特開２００５−２１３８７１号公報
【発明の開示】
【発明が解決しようとする課題】
【０００４】
しかしながら、特許文献１に記載された従来の空調用室外機置場は、壁部材が複数の支柱や笠木などを有して構成されるために、その構造が大掛かりになって部材数量や重量が増加してしまうという問題がある。さらに、フレームや腕木から立ち上がる控え柱に壁部材の支柱を挿通させる構造のため、壁部材を高く持ち上げて組み立てる必要があり、組立性が悪く施工手間やコストが増加するという問題もある。
【０００５】
本発明の目的は、構造が簡素化できるとともに施工性が良好にできる屋外構造体を提供することにある。
【課題を解決するための手段】
【０００６】
本発明の屋外構造体は、外壁に支持されて当該外壁から略水平に突出して設けられる床体と、この床体の先端部から上方に立ち上がって設けられる前面体と、を少なくとも備える屋外構造体であって、前記床体は、前記外壁に基端部が支持されて当該外壁から離れる方向に延びる一対の側桁材と、これら一対の側桁材の先端同士を連結する前桁材と、前記外壁、一対の側桁材および前桁材で囲まれた内部に設けられる床材とを有して構成され、前記床体における側桁材の基端部には、前記外壁に沿って立ち上がる壁側縦材が連結され、前記壁側縦材と前記前面体の側端縁との間で前記側桁材の上側には、側面体が設けられ、前記前面体および前記側面体は、全体パネル状に組み立てられており、前記前面体の下端縁と前記前桁材の上面とのうち、一方には、他方に向かって開口する受け溝部と、この受け溝部に沿った固定片部とが形成され、他方には、前記受け溝部に挿入可能な突出片部と、前記固定片部に対して固着具で固定される被固定部とが形成され、前記突出片部を前記受け溝部に挿入するとともに、前記被固定部を前記固定片部に固定することで、前記前面体が前記床体に固定され、前記壁側縦材および前記前面体の側端縁と前記側面体における左右の側端縁とのうち、一方には、上下に延びかつ外壁面に平行に延びる係合突片が形成され、他方には、前記係合突片と係合可能な係合溝部が形成され、前記床体の側桁材の基端部は、前記外壁に固定される外壁ブラケットを介して当該外壁に固定され、この外壁ブラケットは、外壁面に沿って固定される固定面部と、この固定面部から突出して前記側桁材に沿って延びる延出片部とを有して構成され、前記側桁材と前記壁側縦材とは、連結部材を介して互いに連結されるとともに、当該壁側縦材、前記連結部材および前記外壁ブラケットを貫通する固着具によって前記外壁に固定されていることを特徴とする。
【０００７】
以上の本発明によれば、全体パネル状に組み立てた前面体を床体の上側に固定する際に、前面体の下端縁および前桁材の一方に形成した受け溝部に他方の突出片部を挿入することで、前面体が床体に位置決めされ、位置決めしてから被固定部を固定片部に固定することで、床体に対して前面体を容易に固定することができる。従って、床体に控え柱を設けたり前面体に支柱や笠木などを設けたりする必要がなく、床体および前面体の構造を簡素化することができ、屋外構造体全体の部材数量が削減できて重量を低減させることができる。さらに、突出片部を受け溝部に挿入するだけで前面体を床体に位置決めできるので、組み立てに際して前面体を高く持ち上げる必要がなく、組立性が良好にできて施工手間やコストを低減することができる。このように組立性が良好になることによって、床体と前面体とを予め組み立ててから外壁の所定高さ位置に取り付ける施工手順の他に、予め外壁の所定高さ位置に床体を固定してから、この床体に対して前面体を取り付ける施工手順を採用することもできる。従って、高所作業の作業性が向上できるとともに、例えば、屋外構造体が空調室外機置場のような場合において、空調室外機を床体上に設置してから前面体を取り付けるようにもでき、屋外構造体自体の施工性のみならず、空調室外機置場の設置作業性を良好にすることもできる。
【０００９】
また、本発明によれば、側桁材の上側に設ける側面体の側端縁を壁側縦材と前面体の側端縁とに係合させることで、この側面体によって前面体の倒れを規制し、かつ前面体によって側面体の倒れを規制することができ、前面体および側面体によって平面コ字状または平面Ｌ字状の立上り壁体が自立可能に構成されることとなる。また、壁側縦材および前面体の側端縁と側面体の側端縁との一方に設けた係合突片、および他方に設けた係合溝部が、上下に延びかつ外壁面に平行に延びて形成され、係合突片および係合溝部が互いに上下案内可能に構成されているので、壁側縦材と前面体の側端縁との間に上方から側面体を挿入して係合突片と係合溝部とを係合させるだけで側面体を取り付け、かつ側面体および前面体の倒れを規制することができる。従って、側面体および前面体を互いに位置決めし、かつ側面体および前面体と床体および壁側縦材とを位置決めした状態において、側面体や前面体の固定作業を実施することができ、作業性を向上させることができる。
さらに、本発明の屋外構造体によれば、床体の側桁材と壁側縦材とが連結部材を介して互いに連結されることで、これらの連結強度を高めることができるとともに、この連結部材とともに壁側縦材および外壁ブラケットを固着具で貫通し、この固着具を外壁に固着させることで、屋外構造体の外壁に対する固定強度を向上させることができる。
【００１０】
さらに、本発明の屋外構造体では、前記側面体の下端縁と前記側桁材の上面とのうち、一方には、他方に向かって開口する受け溝部が形成され、他方には、前記受け溝部に挿入可能な突出片部が形成され、前記突出片部を前記受け溝部に挿入することで、前記側面体が前記床体に係合されることが好ましい。
このような構成によれば、前述の前面体と同様に、突出片部を受け溝部に挿入して位置決めしてから、側面体と前面体や壁側縦材、床体とを固定することで、側面体の固定作業を容易に実施することができる。
【発明を実施するための最良の形態】
【００１４】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１５】
〔第１実施形態〕
図１は、本発明の実施形態に係る空調室外機置場１を示す斜視図である。図２は、空調室外機置場１を示す縦断面図である。図３は、空調室外機置場１を示す横断面図である。なお、図１において、各部材同士の接合状態や部材断面を解りやすくするために、各部材の端部に設けられる端部キャップなどの図示が省略されている。
図１〜図３において、空調室外機置場１は、外壁Ｗの壁面（外壁面）ＷＳから突出して片持ち状に設けられ、空調機などの室外機を設置するための屋外構造体であって、外壁Ｗに支持されて壁面ＷＳから略水平に突出して設けられる床体２と、この床体２の先端縁から上方に立ち上がって設けられる前面体３と、床体２の基端部にて壁面ＷＳに沿って立ち上がる一対の壁側縦材４と、これら一対の壁側縦材４と前面体３との間を連結して床体２の側端縁から上方に立ち上がる一対の側面体５とを備えて構成されている。
【００１６】
床体２は、外壁Ｗに基端部が支持されて壁面ＷＳから離れる方向に略水平に延びる一対の側桁材２１と、これら一対の側桁材２１の先端同士を連結する前桁材２２と、一対の側桁材２１の中間部同士に渡って設けられる複数（本実施形態では、３本）の床材２３とを有して構成されている。これらの側桁材２１、前桁材２２および床材２３は、それぞれアルミ形材製の中空部材であって、側桁材２１と前桁材２２とは、側桁材２１の中空内部に設けられるブラケットを介してビス止め固定されるとともに、前桁材２２の両側端縁には、端部キャップ（不図示）が取り付けられて端部開口が塞がれるようになっている。そして、床材２３の両端部は、側桁材２１の下端部の突片２１６を貫通するビス２３１（図６参照）で固定されている。また、側桁材２１の基端部は、外壁ブラケット２４を介して外壁Ｗの躯体に固定されている。
【００１７】
前面体３は、前面上枠３１、前面下枠３２（前面体の下端縁）および左右の前面縦枠３３（前面体の側端縁）と、これらを四周枠組みした内部にて前面上枠３１と前面下枠３２とに渡って設けられる複数の前面格子材３４とを有し、全体パネル状に組み立てられて構成されている。これらの前面上枠３１、前面下枠３２、前面縦枠３３および前面格子材３４は、それぞれアルミ形材製であって、前面上枠３１と前面縦枠３３との端部同士、前面下枠３２と前面縦枠３３との端部同士は、互いにビス止め固定され、前面縦枠３３の上端縁には、端部キャップ３５が取り付けられて上端開口が塞がれるようになっている。また、前面格子材３４の上下端部は、前面上枠３１および前面下枠３２を外壁Ｗ側から貫通するビスで固定されている。そして、前面体３の前面下枠３２は、後述する固定構造で床体２の前桁材２２に固定され、前面縦枠３３と側面体５の側面縦枠５３（後述）とは、後述する連結構造で互いに連結されている。
【００１８】
壁側縦材４は、外壁Ｗ側に向かって開口した断面略コ字形のアルミ形材製部材であって、外壁Ｗの躯体にビス止め固定されている。また、壁側縦材４の下端部は、床体２の側桁材２１基端部と連結部材である連結ブラケット４１を介して固定され、壁側縦材４と側面体５の側面縦枠５４（後述）とは、後述する連結構造で互いに連結されている。また、壁側縦材４の上下端縁には、端部キャップ４２，４３が取り付けられており、これらの端部キャップ４２，４３によって上下端縁が塞がれるようになっている。
【００１９】
側面体５は、側面上枠５１、側面下枠５２（側面体の下端縁）および左右の側面縦枠５３，５４（側面体における左右の側端縁）と、これらを四周枠組みした内部にて側面上枠５１と側面下枠５２とに渡って設けられる側面格子材５５とを有し、全体パネル状に組み立てられて構成されている。これらの側面上枠５１、側面下枠５２、側面縦枠５３，５４および側面格子材５５は、それぞれアルミ形材製であって、側面上枠５１と側面縦枠５３，５４との端部同士、側面下枠５２と側面縦枠５３，５４との端部同士は、互いにビス止め固定され、側面格子材５５の上下端部は、側面上枠５１および側面下枠５２を貫通するビスで固定されている。そして、側面体５の側面下枠５２は、後述する係合構造で床体２の側桁材２１に係合され、前方側の側面縦枠５３と前面縦枠３３とは、後述する連結構造で互いに連結され、外壁Ｗ側の側面縦枠５４と壁側縦材４とは、後述する連結構造で互いに連結されている。
【００２０】
次に、床体２と前面体３との固定構造について、図４も参照して説明する。ここで、図４は、空調室外機置場１の先端側下端部を拡大して示す縦断面図である。
床体２の前桁材２２は、角筒状の前桁本体部２２１を備え、この前桁本体部２２１の上面部２２２には、当該前桁材２２の長手方向に沿いかつ上方に開口する受け溝部２２３と、この受け溝部２２３に沿って立ち上がる固定片部２２４とが形成されている。一方、前面体３の前面下枠３２は、下方に開口した全体略コ字形で、上面部３２１と、この上面部３２１の見込み方向外端から下方に延びて前桁材２２の上面部２２２に載置される載置片部３２２と、上面部３２１から立ち上がる立上片部３２３と、この立上片部３２３から見込み方向内側に延びて下方に折れ曲がる突出片部としての垂下片部３２４とを有して形成されている。この前面下枠３２は、載置片部３２２を前桁材２２の上面部２２２に載置するとともに、垂下片部３２４を受け溝部２２３に挿入することで、前桁材２２に対して位置きめできるようになっている。さらに、前桁材２２の固定片部２２４を見込み方向内側から貫通するビス（固着具）２２５を垂下片部３２４に固着することで、前面下枠３２が前桁材２２に固定されている。すなわち、垂下片部３２４によって被固定部が構成されている。また、前面体３の前面格子材３４は、前面下枠３２の立上片部３２３を見込み方向内側から貫通するビス３２５によって固定されている。
【００２１】
次に、側面体５と前面体３および壁側縦材４との連結構造について、図５も参照して説明する。ここで、図５は、空調室外機置場１の側端部を拡大して示す横断面図である。
前面体３の前面縦枠３３は、角筒状の縦枠本体部３３１と、この縦枠本体部３３１の側端縁から外壁Ｗ側に突出する第１突出片部３３２と、縦枠本体部３３１の側端縁から外壁Ｗ側に突出して先端が折れ曲がった第２突出片部３３３とを有して形成されている。また、壁側縦材４は、外壁Ｗに向かって開口した断面略コ字形の縦材本体部４０１と、この縦材本体部４０１の外面部から前面体３側に突出する第１突出片部４０２と、縦材本体部４０１の外面部から前面体３側に突出して先端が折れ曲がった第２突出片部４０３とを有して形成されている。一方、側面体５の側面縦枠５３、５４は、断面略コ字形に形成され、壁面ＷＳに平行な見付け面部５３１，５４１と、この見付け面部５３１，５４１から見込み方向に突出する第１突出片部５３２，５４２と、見付け面部５３１，５４１から見込み方向に折れ曲がりつつ突出する第２突出片部５３３，５４３とを有して形成されている。
【００２２】
そして、前面縦枠３３の第２突出片部３３３先端には、上下に延びかつ壁面ＷＳに平行に第１突出片部３３２側に延びる係合突片３３４が形成されている。これと同様に、壁側縦材４の第２突出片部４０３先端には、上下に延びかつ壁面ＷＳに平行に第１突出片部４０２側に延びる係合突片４０４が形成されている。一方、側面縦枠５３、５４の第２突出片部５３３，５４３基端部には、見付け方向外側（第１突出片部５３２，５４２と反対側）に開口して上下に連続し、係合突片３３４，４０４と係合可能な係合溝部５３４，５４４が形成されている。このような側面体５は、側面縦枠５３の第１および第２の突出片部５３２，５３３を前面縦枠３３の第１および第２の突出片部３３２，３３３間に挿入し、係合突片３３４に係合溝部５３４を係合させるとともに、側面縦枠５４の第１および第２の突出片部５４２，５４３を壁側縦材４の第１および第２の突出片部４０２，４０３間に挿入し、係合突片４０４に係合溝部５４４を係合させた状態で、前面縦枠３３と壁側縦材４との間に上方から挿入される。そして、前面縦枠３３の第２突出片部３３３を見付け方向に貫通するビス５３５を第２突出片部５３３に固着することで、側面縦枠５３が前面縦枠３３に固定され、壁側縦材４の第２突出片部４０３を見付け方向に貫通するビス５４５を第２突出片部５４３に固着することで、側面縦枠５４が壁側縦材４に固定されている。
【００２３】
次に、側面体５と床体２の側桁材２１との連結構造について、図６も参照して説明する。ここで、図６は、空調室外機置場１の側端下部を拡大して示す縦断面図である。
床体２の側桁材２１は、段付き角筒状に形成され、外側に位置する下段側の第１上面部２１１と、内側に位置する上段側の第２上面部２１２と、これら第１および第２の上面部２１１，２１２を連結して上下に延びる鉛直面部２１３と、第２上面部２１２に連続して上下に延びる内面部２１４とを有して形成されている。そして、第１上面部２１１と鉛直面部２１３との交差位置には、当該側桁材２１の長手方向に沿いかつ上方に開口する受け溝部２１５が形成され、内面部２１４の下端部には、内側に突出して床材２３を支持する突片２１６が形成されている。一方、側面体５の側面下枠５２は、下方に開口した全体略コ字形で、上面部５２１と、この上面部５２１の見込み方向外端から下方に延びて側桁材２１の第１上面部２１１に載置される載置片部５２２と、上面部５２１から立ち上がる立上片部５２３と、この立上片部５２３から見込み方向内側に延びて下方に折れ曲がる突出片部としての垂下片部５２４とを有して形成されている。この側面下枠５２は、載置片部５２２を側桁材２１の第１上面部２１１に載置するとともに、垂下片部５２４を鉛直面部２１３に当接させつつ受け溝部２１５に挿入することで、側桁材２１に対して位置決めできるようになっている。また、側面体５の側面格子材５５は、側面下枠５２の立上片部５２３を見込み方向内側から貫通するビス５２５によって固定されている。
【００２４】
次に、床体２の側桁材２１と壁側縦材４との連結構造および空調室外機置場１の外壁Ｗへの取り付け構造について、図７も参照して説明する。ここで、図７は、空調室外機置場１の基端部の固定構造を示す分解斜視図である。
側桁材２１と壁側縦材４とを連結する連結ブラケット４１は、断面略コ字形に形成されたピース状金物であって、この連結ブラケット４１を外壁Ｗ側から貫通する２本のビス４１１で縦材本体部４０１を貫通し、これらのビス４１１を側桁材２１のビスホールに螺合させることで、側桁材２１と壁側縦材４とが連結されている。また、縦材本体部４０１には、挿通孔４０５が形成され、連結ブラケット４１には、挿通長孔４１２が形成されており、これらの挿通孔４０５および挿通長孔４１２に後述する固着具としてのビス２４６が挿通されるようになっている。さらに、縦材本体部４０１の下端部には、後述する外壁ブラケット２４の連結片部２４２を挿通させるスリット孔４０６が形成されている。
【００２５】
外壁ブラケット２４は、壁面ＷＳに沿って設けられて外壁Ｗに固定される固定面部２４１と、この固定面部２４１に連続して外壁Ｗから突出する方向に延びる延出片部としての連結片部２４２とを有して全体略Ｌ字形に形成されている。固定面部２４１には、上下に並んで３つの挿通孔２４３，２４４，２４５が形成されており、それぞれの挿通孔２４３，２４４，２４５にビス２４６，２４７，２４８が挿通され、これらのビス２４６，２４７，２４８によって外壁ブラケット２４が外壁Ｗに固定されている。そして、前述のように連結ブラケット４１で連結された側桁材２１と壁側縦材４とは、外壁ブラケット２４の連結片部２４２を壁側縦材４のスリット孔４０６に挿入してから、この連結片部２４２に側桁材２１の内面部２１４を貫通するビス２４９を螺合することで、外壁ブラケット２４および外壁Ｗに固定されている。また、外壁Ｗと反対側から縦材本体部４０１の挿通孔４０５、連結ブラケット４１の挿通長孔４１２および外壁ブラケット２４の挿通孔２４３にビス２４６を挿通し、このビス２４６を外壁Ｗの躯体に螺合することで、縦材本体部４０１および連結ブラケット４１と外壁ブラケット２４とが一体的に外壁Ｗに固定されるようになっている。
【００２６】
次に、空調室外機置場１の外壁Ｗへの取付手順を図８も参照して説明する。ここで、図８(Ａ)，(Ｂ)は、空調室外機置場１の取付手順を示す斜視図である。
先ず、図８(Ａ)に示すように、側桁材２１、前桁材２２および床材２３を組み立てた床体２と、壁側縦材４とを連結ブラケット４１およびビス４１１で連結する。また、外壁ブラケット２４を下側２本のビス２４７，２４８で外壁Ｗに固定しておく。
次に、連結した床体２および壁側縦材４を外壁ブラケット２４および外壁Ｗに固定してもよく、外壁ブラケット２４に固定する前に、以下に示すように床体２および壁側縦材４に前面体３と側面体５とを取り付けてから、この組み立てた状態の床体２、前面体３、側面体５および壁側縦材４を外壁ブラケット２４および外壁Ｗに固定してもよい。そして、側面体５および壁側縦材４と外壁ブラケット２４および外壁Ｗとの固定に際しては、外壁ブラケット２４の連結片部２４２を壁側縦材４のスリット孔４０６を介して側桁材２１に挿入し、側桁材２１の内側からのビスで側桁材２１を外壁ブラケット２４に固定してから、図５〜図７に示すように、外壁Ｗと反対側から壁側縦材４、連結ブラケット４１および外壁ブラケット２４を貫通するビス２４６を外壁Ｗの躯体に固着する。また、壁側縦材４の上部においても、ビス２４６と同様のビスで壁側縦材４を貫通し、このビスを外壁Ｗの躯体に固着して壁側縦材４を外壁Ｗに固定する。
【００２７】
床体２および壁側縦材４に対する前面体３および側面体５の取付手順としては、先ず、床体２の前桁材２２上に固定する。この際、図４に示すように、前面体３における前面下枠３２の載置片部３２２を前桁材２２の上面部２２２に載置し、垂下片部３２４を受け溝部２２３に挿入するとともに、ビス２２５で前桁材２２の固定片部２２４と前面下枠３２の垂下片部３２４とを固着し、前面体３と床体２とを固定する。次に、前面体３の前面縦枠３３と壁側縦材４との間に側面体５を上方から挿入して取り付ける。この際、図５に示すように、側面体５における側面縦枠５３の第１および第２の突出片部５３２，５３３を前面縦枠３３の第１および第２の突出片部３３２，３３３間に挿入し、係合突片３３４に係合溝部５３４を係合させるとともに、側面縦枠５４の第１および第２の突出片部５４２，５４３を壁側縦材４の第１および第２の突出片部４０２，４０３間に挿入し、係合突片４０４に係合溝部５４４を係合させることで、側面体５を介して前面体３と壁側縦材４とが連結され、前面体３の倒れが規制されるようになっている。さらに、図６に示すように、側面体５における側面下枠５２の載置片部５２２を床体２における側桁材２１の第１上面部２１１に載置し、側面下枠５２の垂下片部５２４を側桁材２１の受け溝部２１５に挿入することで、側面下枠５２を側桁材２１に対して位置決めする。そして、ビス５３５で前面縦枠３３の第２突出片部３３３と側面縦枠５３の第２突出片部５３３とを固着するとともに、ビス５４５で壁側縦材４の第２突出片部４０３と側面縦枠５４の第２突出片部５４３とを固着することで、側面体５と床体２、前面体３および壁側縦材４とを固定する。
【００２８】
以上のようにして空調室外機置場１を外壁Ｗに固定した後に、床体２の上側に空調室外機を設置してもよく、また空調室外機の設置や交換に際し、前面体３および側面体５あるいは片側の側面体５を床体２および壁側縦材４から一旦取り外してから空調室外機を設置してもよい。
【００２９】
このような本実施形態によれば、以下のような効果がある。
（１）すなわち、外壁Ｗに固定した床体２および壁側縦材４に対し、全体パネル状に組み立てた前面体３および側面体５を取り付けることで空調室外機置場１が構成されるので、支柱や笠木などが不要にできて空調室外機置場１の構造を簡素化することができるとともに、空調室外機置場１全体の部材数量が削減できて重量を低減させることができる。
【００３０】
（２）さらに、全体パネル状に組み立てた前面体３を床体２の前桁材２２に固定する際に、前面下枠３２の垂下片部３２４を前桁材２２の受け溝部２２３に挿入することで、前面体３が床体２に位置決めされ、位置決めしてからビス２２５で前桁材２２の固定片部２２４と前面下枠３２の垂下片部３２４とを固着することで、前面体３の固定作業が容易にできる。
【００３１】
（３）また、側面体５を前面体３の前面縦枠３３と壁側縦材４との間に挿入する際に、側面縦枠５３，５４の係合溝部５３４，５４４に前面縦枠３３および壁側縦材４の係合突片３３４，４０４を係合させることで、この側面体５によって前面体３の倒れが規制でき、かつ前面体３および壁側縦材４によって側面体５の倒れが規制でき、前面体３および側面体５の組立性がさらに良好にできる。
【００３２】
（４）また、床体２の側桁材２１と壁側縦材４とが連結ブラケット４１を介して互いに連結されるとともに、この連結ブラケット４１と壁側縦材４および外壁ブラケット２４とを貫通するビス２４６を外壁Ｗの躯体に固着することで、側桁材２１および壁側縦材４を一体的に外壁Ｗに固定することができ、外壁Ｗに対する空調室外機置場１の固定強度を向上させることができる。
【００３３】
〔第２実施形態〕
次に、本発明の第２実施形態を図９に基づいて説明する。
図９は、第２実施形態の空調室外機置場１Ａを示す分解斜視図である。
本実施形態の空調室外機置場１Ａは、前記空調室外機置場１と略同様の床体２および前面体３を有して構成され、前面体３における左右の前面縦枠３３の上端部と外壁Ｗとが連結横材６で連結されている。すなわち、空調室外機置場１Ａは、前記壁側縦材４や側面体５を有さず、側面体５に代えて連結横材６を有する点が前記第１実施形態の空調室外機置場１と相違している。以下、相違点について詳しく説明する。
【００３４】
連結横材６は、アルミ形材製のアングル部材であって、基端部が外壁Ｗに固定されたブラケット６１に固定され、先端部が前面縦枠３３の上端部にビス止め固定されている。この際、前面体３の構造および床体２の前桁材２２への固定構造は、前記第１実施形態と同様であって、本実施形態では、連結横材６で連結することで、前面体３の倒れが規制されるようになっている。また、床体２における側桁材２１の基端部は、前記外壁ブラケット２４と略同様の外壁ブラケット（図示略）で外壁Ｗの躯体に固定されるとともに、側桁材２１の上面に沿った補助ブラケット２６によっても外壁Ｗに固定されている。
【００３５】
なお、本発明は、前記実施形態に限定されるものではなく、本発明の目的が達成できる他の構成等を含み、以下に示すような変形等も本発明に含まれる。
例えば、前記実施形態においては、屋外構造体として空調室外機置場１，１Ａを例示して説明したが、本発明の屋外構造体は、空調室外機置場に限らず、プランター置場やその他の各種屋外設置物を載置するためのものであってもよい。
また、前記実施形態では、長尺状の床材２３を有して床体２が構成されていたが、これに限らず、板状の床面材を有して床体２が構成されていてもよい。さらに、前面体３や側面体５において、前面格子材３４や側面格子材５５に代えて樹脂パネルや金属パネル等の面材を用いてもよく、また格子材としても、縦格子に限らず、横格子あるいは縦横交差するものなど任意の形態が採用可能である。さらに、本発明の前面体および側面体は、それぞれ前記実施形態のような上枠、下枠、左右の縦枠を枠組みした内部に格子材を取り付けた構造に限らず、板状のパネル材で構成されていてもよい。この場合には、パネル材の下端縁に前記垂下片部が形成され、パネル材の側端縁に前記係合突片や係合溝部が形成されていればよい。
【００３６】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３７】
【図１】本発明の第１実施形態に係る屋外構造体を示す斜視図である。
【図２】前記屋外構造体を示す縦断面図である。
【図３】前記屋外構造体を示す横断面図である。
【図４】前記屋外構造体の先端側下端部を拡大して示す縦断面図である。
【図５】前記屋外構造体の側端部を拡大して示す横断面図である。
【図６】前記屋外構造体の側端下部を拡大して示す縦断面図である。
【図７】前記屋外構造体の基端部の固定構造を示す分解斜視図である。
【図８】前記屋外構造体の取付手順を示す斜視図である。
【図９】本発明の第２実施形態に係る屋外構造体を示す斜視図である。
【符号の説明】
【００３８】
１，１Ａ…空調室外機置場（屋外構造体）、２…床体、３…前面体、４…壁側縦材、５…側面体、６…連結横材、２１…側桁材、２２…前桁材、２３…床材、２４…外壁ブラケット、３１…前面上枠、３２…前面下枠、３３…前面縦枠、３４…前面格子材、４１…連結ブラケット（連結部材）、５１…側面上枠、５２…側面下枠、５３，５４…側面縦枠、５５…側面格子材、２１５，２２３…受け溝部、２２４…固定片部、２４１…固定面部、２４２…連結片部（延出片部）、２４６…ビス（固着具）、３２４…垂下片部（突出片部、被固定部）、３３４…係合突片、４０４…係合突片、５２４…垂下片部（突出片部）、５３４，５４４…係合溝部、Ｗ…外壁。
【図１】
0005226381.tif 000002
【図２】
0005226381.tif 000003
【図３】
0005226381.tif 000004
【図４】
0005226381.tif 000005
【図５】
0005226381.tif 000006
【図６】
0005226381.tif 000007
【図７】
0005226381.tif 000008
【図８】
0005226381.tif 000009
【図９】
0005226381.tif 000010